(57)【要約】【課題】折り畳み可能で使用時の寝心地を低下させることのないマットレスを提供する。【解決手段】マットレス１０は、第１マット部１８と、該第１マット部１８の長手方向の両端に連結された第２マット部２０および第３マット部２１とから構成される。第１マット部１８に対して第２マット部２０および第３マット部２１は上端縁で連結されて、第１マット部１８に対して第２マット部２０および第３マット部２１が上端縁の連結部２６から折り畳むことができるよう構成される。第１マット部１８に対して第２マット部２０および第３マット部２１を連結部２６で折り曲げて上側に重ねた状態で、第２マット部２０と第３マット部２１とは面ファスナー２８で接合される。【選択図】図１
0003174072.tif 000002
【実用新案登録請求の範囲】
【請求項１】
第１マット部を挟んで第２マット部および第３マット部を並べた状態で使用される折り畳み可能なマットレスであって、
前記並べた状態の第１マット部の厚み方向の上縁と、第２マット部および第３マット部の厚み方向の上縁とを連結する連結部を備え、
前記第２マット部および第３マット部を前記連結部で折り曲げて第１マット部の上側に折り畳み可能に構成した
ことを特徴とするマットレス。
【請求項２】
前記並べた状態の第２マット部および第３マット部の下面に、前記第１マット部の上側に折り畳んだ第２マット部および第３マット部を着脱自在に接合する接合手段が設けられた請求項１記載のマットレス。
【請求項３】
前記連結部で折り畳んだ第２マット部の開放端と、前記連結部で折り畳んだ第３マット部の開放端とを突き合わせて第１マット部の上側に載置可能に構成した請求項１または２記載のマットレス。
【考案の詳細な説明】
【技術分野】
【０００１】
本考案は、折り畳み可能なマットレスに関するものである。
【背景技術】
【０００２】
前記折り畳み可能なマットレスとして、特許文献１に開示されているように、三つ折りに折り畳むことが可能なものがある。このマットレスは、中マット部、上マット部および下マット部の３つに分割され、中マット部に対して上マット部が上端縁で連結すると共に、中マット部に対して下マット部が下端縁で連結して構成される。そして、このように構成されたマットレスは、３つのマット部を平面的に並ぶように広げた状態で使用される。また不使用時には、中マット部に対して上マット部を上連結部で折り返して上側に重ねると共に、中マット部に対して下マット部を下連結部で折り返して下側に重ねることで、収納時のコンパクト化を図るようになっている。
【先行技術文献】
【特許文献】
【０００３】
【特許文献１】特開平１１−８９６７６号公報
【考案の概要】
【考案が解決しようとする課題】
【０００４】
ここで、重い布団の上げ下げは、体力の弱い女性や高齢者にとって多大な労力を必要とするものであるため、マットレスの上に布団等のクッション体を積層せずに、汗を吸収したり汚れを防ぐためのシーツ等のクッション性の低い軽量被覆体で被覆したマットレスを寝具として使用する方法がある。そのように使用した場合、前記特許文献１に開示のマットレスのように、該マットレスを三つ折り状態に畳むものでは、中マット部に対して下側に重なるように折り畳まれる下マット部と中マット部とは下端縁で連結されることから、使用時における上面側には中マット部と下マット部とが分離された切込み部が現われる。すなわち、切込み部の開口で使用者が寝る面が分断されるので、寝心地が悪くなる問題を招く。
【０００５】
すなわち本考案は、前記従来の技術に係るマットレスに内在する前記課題に鑑み、これを好適に解決するべく提案されたものであって、不使用時のコンパクト化を図りつつ使用時に寝心地がよいマットレスを提供することを目的とする。
【課題を解決するための手段】
【０００６】
前記課題を克服し、所期の目的を達成するため、請求項１の考案に係るマットレスは、
第１マット部を挟んで第２マット部および第３マット部を並べた状態で使用される折り畳み可能なマットレスであって、
前記並べた状態の第１マット部の厚み方向の上縁と、第２マット部および第３マット部の厚み方向の上縁とを連結する連結部を備え、
前記第２マット部および第３マット部を前記連結部で折り曲げて第１マット部の上側に折り畳み可能に構成したことを要旨とする。
請求項１に係る考案によれば、使用時の上面側には切込み部分が現われないので、使用時の寝心地を良好に保つと共に、不使用時にはコンパクトに折り畳むことができる。
【０００７】
請求項２に係る考案では、前記並べた状態の第２マット部および第３マット部の下面に、前記第１マット部の上側に折り畳んだ第２マット部および第３マット部を着脱自在に接合する接合手段が設けられたことを要旨とする。
請求項２に係る考案によれば、使用時において使用者が寝る上面側に接合手段が現われないので、接合手段によって使用時の寝心地が低下することはない。
【０００８】
請求項３に係る考案では、前記連結部で折り畳んだ第２マット部の開放端と、前記連結部で折り畳んだ第３マット部の開放端とを突き合わせて第１マット部の上側に載置可能に構成したことを要旨とする。
請求項３に係る考案によれば、折り畳んだ状態での厚みを、並べて使用する状態での厚みの２倍に抑えることができる。
【考案の効果】
【０００９】
本考案に係るマットレスによれば、不使用時のコンパクト化を図りつつ使用時の寝心地が低下するのを防止し得る。
【図面の簡単な説明】
【００１０】
【図１】実施例に係るマットレスを広げた使用時の状態で示す概略斜視図である。
【図２】実施例に係るマットレスを折り畳む途中の状態で示す概略斜視図である。
【図３】実施例に係るマットレスを折り畳んだ不使用時の状態で示す概略斜視図である。
【図４】実施例に係るマットレスを広げた使用時の状態で示す概略断面図である。
【考案を実施するための形態】
【００１１】
次に、本考案に係るマットレスにつき、好適な実施例を挙げて、添付図面を参照しながら以下説明する。
【実施例】
【００１２】
図１〜図４は、実施例に係るマットレス１０を示すものであって、該マットレス１０は、発泡ウレタンや発泡ポリエチレン等のクッション性を有する芯材１２,１４,１５を、布製の外装地１６で被覆して構成される。マットレス１０は、矩形状の第１マット部１８と、該第１マット部１８における対向する両端(長手方向の両端)に連結された２つの矩形状の第２マット部２０および第３マット部２１とから構成され、該マットレス１０は、図１および図４に示す如く、３つのマット部１８,２０,２１を平面的に並べて広げた状態で使用される。なお、外装地１６としては、キルティング材が好適に用いられる。
【００１３】
前記外装地１６には、図４に示す如く、３つの袋部２２,２４,２５が形成され、中央の第１袋部２２に矩形状の第１芯材１２を収容して第１マット部１８が構成され、該第１袋部２２における一方の側に連結される第２袋部２４に矩形状の第２芯材１４を収容して第２マット部２０が構成され、該第１袋部２２における他方の側に連結される第３袋部２５に矩形状の第３芯材１５を収容して第３マット部２１が構成される。第１袋部２２と第２袋部２４および第１袋部２２と第３袋部２５との夫々は、第１マット部１８を挟んで両側に第２マット部２０および第３マット部２１を並べた状態でのマットレス１０の上面側でのみ幅方向の全長に亘って連結され、該連結部２６からマットレス１０の下面までは切込まれて分離されている。すなわち、第１マット部１８に対して第２マット部２０および第３マット部２１の夫々は上端縁で連結されて、第１マット部１８に対して第２マット部２０および第３マット部２１は、第１袋部２２と第２袋部２４の連結部２６または第１袋部２２と第３袋部２５との連結部２６で折り曲げて上側に折り畳み可能に構成される。前記外装地１６には、図１〜図３に示す如く、各袋部２２,２４,２５に対応する側面に、ファスナー２７によって開閉可能な開口部が設けられ、該開口部から芯材１２,１４,１５を出し入れし得るよう構成される。なお、外装地１６の開口部を開閉する手段は、ファスナー２７に限らず、面ファスナー等の他の手段によって開閉し得るようにしてもよい。
【００１４】
前記第２マット部２０の連結部２６から開放端までの長さＬ２と第３マット部２１の連結部２６から開放端までの長さＬ３との合計は、第１マット部１８の長さＬ１より短かく設定するのがよい。また、連結部２６で折り畳んだ第２マット部２０の開放端と、連結部２６で折り畳んだ第３マット部２１の開放端とを突き合わせて第１マット部１８の上側に載置可能となるように、第２マット部２０の長さＬ２と第３マット部２１の長さＬ３との合計を、第１マット部１８の長さＬ１と略同一に設定するのがより好適である。すなわち、第２マット部２０の長さＬ２と第３マット部２１の長さＬ３との合計を、第１マット部１８の長さＬ１より短かくすれば、第１マット部１８に対して第２マット部２０および第３マット部２１を連結部２６,２６で折り曲げて上側に折り畳んだ際に、第２マット部２０と第３マット部２１とが上下に重なることはなく、不使用時の厚み寸法を並べて使用する際の厚みの２倍に抑えることができる。また、第２マット部２０の長さＬ２と第３マット部２１の長さＬ３との合計を、第１マット部１８の長さＬ１と略同一に設定した場合は、マットレス１０を折り畳んだ状態で、該マットレス１０は広げた状態での長さの略１／２の長さとしてコンパクト化を図り得る。更に、マットレス１０を折り畳んだ状態で第２マット部２０と第３マット部２１との開放端が相互に当接(図３参照)して移動するのが規制されるので、該マットレス１０を持ち運ぶ際にマット部２０,２１の姿勢が乱れて運び難くなるのは抑えられる。
【００１５】
また、第２マット部２０の長さＬ２および第３マット部２１の長さＬ３の夫々を、第１マット部１８の長さＬ１の１／２に設定した場合は、第１マット部１８に対して第２マット部２０および第３マット部２１を連結部２６,２６で折り曲げて上側に折り畳んだ際には、図３に示す如く、第２マット部２０および第３マット部２１の開放端同士が第１マット部１８の中央で突き合うように当接する。マット部１８,２０,２１の長さとしては、例えば、第１マット部１８の長さＬｌを１０００ｍｍとし、第２マット部２０および第３マット部２１の長さＬ２,Ｌ３を夫々５００ｍｍとすることで、一般的な成人において、使用時には第１マット部１８に使用者の胸部から腰部に至る部位が位置する状態で、第２マット部２０または第３マット部２１に頭部または脚部が位置する就寝状態となる。なお、前記第１芯材１２と第２芯材１４および第３芯材１５は、長さ寸法が異なるだけで、幅寸法および厚み寸法は同じに設定される。また、第１芯材１２、第２芯材１４および第３芯材１５の硬さは、同じとしてもよいが、使用時にマット部１８,２０,２１に載る使用者の部位(頭部、胸部、腰部、脚部等)に応じて硬度を変えるようにしてもよい。
【００１６】
なお、第２マット部２０の長さＬ２と第３マット部２１の長さＬ３とは同じである必要はなく、第２マット部２０の長さＬ２と第３マット部２１の長さＬ３との合計が第１マット部１８の長さＬ１と略同一になる(開放端同士が突き合う)条件で、両マット部２０,２１の長さを変えるようにしてもよい。そして、第２マット部２０の長さＬ２と第３マット部２１の長さＬ３とを異なるように変えることで、第１マット部１８に対する連結部２６の位置を、使用時において使用者の体圧が加わり難い位置に配置することができる。
【００１７】
前記第１マット部１８の上側に重ねた第２マット部２０および第３マット部２１は、開放端部を当接した状態で、接合手段としての面ファスナー２８によって着脱自在に接合することで、２つのマット部２０,２１が分離しないよう構成される。すなわち、第２マット部２０の開放端側における前記広げた状態(使用状態)での下面に、面ファスナー２８を構成する係合片２８ａが設けられると共に、第３マット部２１の開放端側における前記広げた状態(使用状態)での下面に、前記係合片２８ａが係脱自在に係合する面ファスナー２８を構成する被係合片２８ｂが設けられる。そして、第２マット部２０および第３マット部２１を第１マット部１８の上側に重ねた状態で上側の面に臨む係合片２８ａに被係合片２８ｂを係合することで、第２マット部２０および第３マット部２１が接合されるようになっている。
【００１８】
前記面ファスナー２８の構成を更に詳細に説明すると、第２マット部２０における下面に設けられる前記係合片２８ａは、該第２マット部２０の開放端から延出しないように設けられると共に、その表面は、ループ状係合素子が形成されたループ面となっている。これに対し、第３マット部２１の下面に設けられる前記被係合片２８ｂは、該第３マット部２１の開放端から所定長さ(好適には係合片２８ａと同じ長さ)で延出すると共に、該延出部分の裏面(折り畳んだ状態での下面)は、前記ループ状係合素子に係止可能なフック状係合素子が形成されたフック面となっている。すなわち、第１マット部１８の上側に折り畳んだ状態で、第２マット部２０の上側に臨む係合片２８ａのループ面に、第１マット部１８の上側に折り畳んだ第３マット部２１の被係合片２８ｂの延出部のフック面が対向するように臨み、該フック面をループ面に係止することで、第２マット部２０と第３マット部２１とが安定した姿勢を維持するように接合される。
【００１９】
また、被係合片２８ｂが設けられる第３マット部２１の開放端の側面には、被係合片２８ｂのフック面が係止可能なループ面を表側に有する保持用係合片２８ｃが設けられ、マットレス１０の使用時には被係合片２８ｂを保持用係合片２８ｃに係止することで、該被係合片２８ｂが動くことがないようにし得る。すなわち、面ファスナー２８は、マットレス１０を広げて使用する際、および折り畳んだ不使用時の何れの状態においても、被係合片２８ｃのフック面がマットレス１０の表面側に露出しないので、該フック面が使用者の体に接触して不快な感触を与えるおそれはない。
【００２０】
実施例のマットレス１０では、使用時の広げた状態において、使用者が寝る上面側には第１マット部１８と各第２マット部２０とを連結する連結部２６が臨んで、第２マット部２０を折り畳むための切込みの開口が臨まないようになっている。すなわち、使用者が寝る上面側に臨む連結部２６が支持面となるので、マットレス１０をシーツ等のクッション性の低い軽量被覆体で被覆した状態で使用する場合であっても、第１マット部１８と各第２マット部２０との連結部分での感触が低下するのを抑えて寝心地が悪くなるのを防止し得る。また、使用者の胸部や腰部が載る部位に切込みの開口が臨まないようにすることで、マットレス１０の沈み込みを防いで快適な就寝姿勢を保持し得ると共に、マットレス自体がへたり難くなる。更に、第２マット部２０の長さＬ２と第３マット部２１の長さＬ３との合計を、第１マット部１８の長さＬ１と略同一に設定すれば、３つのマット部１８,２０,２１を折り畳んで半分の長さにし得ると共に厚さは２倍に抑えることができ、不使用時に嵩ばることはなく、収納時の省スペース化を図り得る。
【００２１】
ここで、マットレスを、二つ折りに畳むように構成した場合は、実施例のマットレス１０の不使用時の状態と同じ大きさにすることは可能である。しかし、二つ折りの場合は、その使用時には使用者の最も体圧が加わる腰部が載る部分に連結部が位置するようになるので、切込みの開口が上面側に臨まない状態であっても、マットレスの沈み込みが大きくなって使用感が低下する。これに対し、実施例のように三つ折りに畳むように構成したマットレス１０であれば、広げた状態(使用状態)で上面側に臨む連結部２６を腰部が載る部分を避けた位置に臨ませることができ、使用感が低下するのは防止される。
【００２２】
更に、折り畳んだ第２マット部２０と第３マット部２１とを面ファスナー２８で接合すれば、マットレスを運ぶ際に第２マット部２０および第３マット部２１が移動して持ち運び性が低下するのを防止し得る。また、不使用時に第２マット部２０と第３マット部２１とを接合する面ファスナー２８は、使用時においては使用者が寝る上面側に現われないので、該面ファスナー２８によって使用時の寝心地が低下することはない。
【００２３】
また、既存の三つ折りマットレスのように、略同一の３つの矩形状のマット部からなるマットレスを、中央のマット部に対して両側のマット部を上側と下側に互い違いに折り畳む構成では、マットレス全周を覆うように接合するか、中央のマット部に対して上下に折り畳んだ２つのマット部の夫々を接合するために少なくとも２箇所以上を接合しないと、折り畳んだ形状が維持できない。これに対し、実施例のように第１マット部１８の両側に配置される第２マット部２０と第３マット部２１の連結部２６から開放端までの長さの合計を、第１マット部１８の両連結部間の長さと略同一であるように設定し、第２マット部２０および第３マット部２１を第１マット部１８に対して同じ側(上側)に折り畳んで、第２マット部２０と第３マット部２１の開放端同士を着脱自在に接合する構成では、１箇所に面ファスナー２８(接合手段)を設けるだけで、折り畳んだ形状を安定して維持することができる。
【００２４】
(変更例)
本考案は実施例の構成に限定されず、以下のようにも変更可能である。
(1) 実施例では、マットレスとして、芯材を外装地で被覆したものを挙げたが、発泡ウレタンや発泡ポリエチレン等からなる芯材のみで構成されたものであってもよく、第１芯材に対して第２芯材および第３芯材を上端縁でのみ連結する構成を採用し得る。
(2) 実施例では、第１マット部の上側に折り畳んだ第２マット部と第３マット部を着脱自在に接合する接合手段として面ファスナーを挙げたが、紐、その他公知の手段を採用することができる。
(3) 実施例では、折り畳んだ第２マット部と第３マット部を一箇所で接合するよう構成したが、マットレスの幅寸法に応じて幅方向の複数箇所に面ファスナー(接合手段)を設けて接合するようにしてもよい。
(4) 実施例では、マットレスを折り畳んだ状態で第２マット部と第３マット部を接合手段(面ファスナー)で着脱自在に接合するようにしたが、接合手段(面ファスナー)は必要に応じて設ければよく、省略した形態を採用し得る。
【符号の説明】
【００２５】
１８ 第１マット部，２０ 第２マット部，２１ 第３マット部，２６ 連結部
２８ 面ファスナー(接合手段)
【図１】
0003174072.tif 000003
【図２】
0003174072.tif 000004
【図３】
0003174072.tif 000005
【図４】
0003174072.tif 000006